(57)【要約】  本出願は移動通信の分野に関し、特に無線通信システムにおけるアップリンク伝送プロセスに関する。本方法は、基地局によって、アップリンク測定基準信号ポートからアンテナポートへの形成情報を決定するステップと、アップリンク測定基準信号ポートからアンテナポートへの形成情報をユーザ機器に送信するステップとを含む。ユーザ機器は、アップリンク測定基準信号ポートからアンテナポートへの形成情報を取得し得る。形成情報は、アップリンク伝送中に伝送信号の形成処理を行うために用いられ得る。伝送信号の形成処理により、伝送信号のカバー範囲が増大され得、データ伝送の効率が向上され得る。
2020503793.tif 000002
【特許請求の範囲】
【請求項１】
アップリンク測定基準信号ポートからアンテナポートへの形成情報を決定するステップと、
前記アップリンク測定基準信号ポートから前記アンテナポートへの前記形成情報をユーザ機器に送信するステップと
を含む、アップリンク伝送方法。
【請求項２】
前記アップリンク測定基準信号ポートから前記アンテナポートへの前記形成情報をユーザ機器に送信する前記ステップが、以下のケース、
アップリンクスケジューリングシグナリング、メディアアクセス制御MAC制御要素CE、または上位レイヤシグナリングを使用して、前記アップリンク測定基準信号ポートから前記アンテナポートへの前記形成情報を前記ユーザ機器に送信するステップ
のうちの1つを含む、請求項1に記載の方法。
【請求項３】
データポートから前記アップリンク測定基準信号ポートへの形成情報を決定するステップと、
前記データポートから前記アップリンク測定基準信号ポートへの前記形成情報を前記ユーザ機器に送信するステップと
をさらに含む、請求項1または2に記載の方法。
【請求項４】
前記データポートから前記アップリンク測定基準信号ポートへの前記形成情報を前記ユーザ機器に送信する前記ステップが、具体的には、
前記データポートから前記アップリンク測定基準信号ポートへの前記形成情報と前記アップリンク測定基準信号ポートから前記アンテナポートへの前記形成情報の両方を、アップリンクスケジューリングシグナリングを使用することによって前記ユーザ機器に送信するステップ
である、請求項3に記載の方法。
【請求項５】
前記形成情報が、具体的には、形成パラメータ、コードワードインデックス、またはアップリンク測定基準信号インデックスである、請求項1から4のいずれか一項に記載の方法。
【請求項６】
アップリンク測定基準信号ポートからアンテナポートへの、基地局によって送信される形成情報を受信するステップと、
前記アップリンク測定基準信号ポートから前記アンテナポートへの前記形成情報を解析し、前記形成情報に対応する形成パラメータを取得するステップと
を含む、アップリンク伝送方法。
【請求項７】
アップリンク測定基準信号ポートからアンテナポートへの、基地局によって送信される形成情報を受信する前記ステップが、以下のケース、
アップリンクスケジューリングシグナリング、メディアアクセス制御MAC制御要素CE、または上位レイヤシグナリングを使用して、前記アップリンク測定基準信号ポートから前記アンテナポートへの、前記基地局によって送信される前記形成情報を受信するステップ
のうちの1つを含む、請求項6に記載の方法。
【請求項８】
データポートから前記アップリンク測定基準信号ポートへの、前記基地局によって送信される形成情報を受信するステップ
をさらに含む、請求項6または7に記載の方法。
【請求項９】
データポートから前記アップリンク測定基準信号ポートへの、前記基地局によって送信される形成情報を受信する前記ステップが、具体的には、
前記アップリンク測定基準信号ポートから前記アンテナポートへの前記形成情報と前記アップリンク測定基準信号ポートから前記アンテナポートへの、前記基地局によって送信される前記形成情報の両方を、アップリンクスケジューリングシグナリングを使用することによって受信するステップ
である、請求項6または7に記載の方法。
【請求項１０】
前記形成情報を取得する前記ステップが、具体的には、
現在のデータ伝送に使用される形成情報として、前記現在のデータ伝送の前のX時間単位内に前記基地局へのアップリンク測定基準信号の最後の伝送に使用される形成情報に対応する形成パラメータを使用するステップ
である、請求項6に記載の方法。
【請求項１１】
前記形成情報が、具体的には、形成パラメータ、コードワードインデックス、またはアップリンク測定基準信号のリソースインデックスである、請求項6から10のいずれか一項に記載の方法。
【請求項１２】
前記形成情報に対応する形成パラメータを取得する前記ステップが、以下のケース、
前記形成情報が、具体的にはコードワードインデックスであるとき、前記コードワードインデックスに対応する形成パラメータを決定するステップ、または
前記形成情報がアップリンク測定基準信号インデックスであるとき、前記アップリンク測定基準信号インデックスの数に基づいて、前記アップリンク測定基準信号を送信するために使用される形成パラメータを決定し、前記アップリンク測定基準信号ポートから前記アンテナポートへの、前記現在のデータ伝送で前記ユーザ機器によって使用される形成パラメータとして、前記アップリンク測定基準信号を送信するために使用される前記形成パラメータを使用するステップ
のうちの1つを含む、請求項11に記載の方法。
【請求項１３】
アップリンク測定基準信号ポートからアンテナポートへの形成情報を決定するように構成された、少なくとも1つのプロセッサと、
前記アップリンク測定基準信号ポートから前記アンテナポートへの前記形成情報をユーザ機器に送信するように構成された、送信機と
を備える基地局。
【請求項１４】
前記アップリンク測定基準信号ポートから前記アンテナポートへの前記形成情報をユーザ機器に送信する前記ステップが、以下のケース、
アップリンクスケジューリングシグナリング、メディアアクセス制御MAC制御要素CE、または上位レイヤシグナリングを使用して、前記アップリンク測定基準信号ポートから前記アンテナポートへの前記形成情報を前記ユーザ機器に送信するステップ
のうちの1つを含む、請求項13に記載の基地局。
【請求項１５】
前記少なくとも1つのプロセッサがデータポートから前記アップリンク測定基準信号ポートへの形成情報を決定するようにさらに構成され、
前記送信機が前記データポートから前記アップリンク測定基準信号ポートへの前記形成情報を前記ユーザ機器に送信するようにさらに構成された、
請求項13に記載の基地局。
【請求項１６】
前記データポートから前記アップリンク測定基準信号ポートへの前記形成情報を前記ユーザ機器に送信する前記ステップが、具体的には、
前記データポートから前記アップリンク測定基準信号ポートへの前記形成情報と前記アップリンク測定基準信号ポートから前記アンテナポートへの前記形成情報の両方を、アップリンクスケジューリングシグナリングを使用することによって前記ユーザ機器に送信するステップ
である、請求項13に記載の基地局。
【請求項１７】
前記形成情報が、具体的には、形成パラメータ、コードワードインデックス、またはアップリンク測定基準信号インデックスである、請求項13から16のいずれか一項に記載の基地局。
【請求項１８】
アップリンク測定基準信号ポートからアンテナポートへの、基地局によって送信される形成情報を受信するように構成された、受信機と、
前記アップリンク測定基準信号ポートから前記アンテナポートへの前記形成情報を解析し、前記形成情報に対応する形成パラメータを取得するように構成された、少なくとも1つのプロセッサと
を備える、ユーザ機器UE。
【請求項１９】
アップリンク測定基準信号ポートからアンテナポートへの、基地局によって送信される形成情報を受信することが、以下のケース、
アップリンクスケジューリングシグナリング、メディアアクセス制御MAC制御要素CE、または上位レイヤシグナリングを使用して、前記アップリンク測定基準信号ポートから前記アンテナポートへの、前記基地局によって送信される前記形成情報を受信すること
のうちの1つを含む、請求項18に記載のUE。
【請求項２０】
前記受信機が、データポートから前記アップリンク測定基準信号ポートへの、前記基地局によって送信される形成情報を受信するようにさらに構成された、請求項18または19に記載のUE。
【請求項２１】
前記形成情報に対応する形成パラメータを取得することが、具体的には、
現在のデータ伝送に使用される形成情報として、前記現在のデータ伝送の前のX時間単位内に前記基地局へのアップリンク測定基準信号の最後の伝送に使用される形成情報に対応する形成パラメータを使用すること
である、請求項18に記載のUE。
【請求項２２】
前記形成情報に対応する形成パラメータを取得することが、以下のケース、
前記形成情報が、具体的にはコードワードインデックスであるとき、前記コードワードインデックスに対応する形成パラメータを決定すること、または
前記形成情報がアップリンク測定基準信号インデックスであるとき、前記アップリンク測定基準信号インデックスの数に基づいて、前記アップリンク測定基準信号をレポートするために使用される形成パラメータを決定し、前記アップリンク測定基準信号ポートから前記アンテナポートへの、現在のデータ伝送で前記ユーザ機器によって使用される前記形成情報として、前記アップリンク測定基準信号をレポートするために使用される前記形成パラメータを使用すること
のうちの1つを含む、請求項18に記載のUE。
【請求項２３】
請求項14から17のいずれか一項に記載の基地局と、請求項18から22のいずれか一項に記載のユーザ機器UEとを備える通信システム。
【発明の詳細な説明】
【技術分野】
【０００１】
本出願は、2016年12月30日に中国特許庁に提出され、「アップリンク伝送方法、装置、およびシステム」という名称の中国特許出願第201611263791．2号の優先権を主張し、その全体が参照により本明細書に組み入れられる。
【０００２】
本発明は移動通信の分野に関し、特に無線通信システムにおけるアップリンク伝送技術に関する。
【背景技術】
【０００３】
LTE（long term evolution、LTE）システムでは、サウンディング基準信号（Sounding reference signal、SRS）は、主にアップリンクチャネル測定に使用され、さらに、チャネルの相互性が満たされる場合、ダウンリンクチャネル測定に使用され得る。SRSは、具体的にはアップリンク測定基準信号であり得る。しかし、端末は小型で低コストであり、アップリンク測定基準信号ポートの数量は比較的少なく、具体的には、1つまたは2つであり、通常は1つのアンテナポートのみでの送信がサポートされる。したがって、LTEシステムでは、アップリンク測定基準信号ポートに関して、最適化された伝送は考慮されていない。
【０００４】
第5世代の新しい無線（5th Generation New Radio、5G NR）技術についての議論において、特に、高周波通信シナリオでは、端末のアンテナの数量は急激に増加し、アップリンク測定基準信号ポートの数量もそれに対応して増加する。したがって、アップリンク測定基準信号は、より多くのアップリンク時間‐周波数リソースを占有し、より多くのアップリンク電力を消費する。さらに、高周波のシナリオでは、アップリンク測定基準信号のカバー範囲もまた問題である。
【０００５】
従来技術では、基地局によって端末に送信されるアップリンクスケジューリングシグナリングは、プリコーディングマトリックスインジケータ（Precoding Matrix indicator、PMI）を含む。しかしながら、複数のアップリンク測定基準信号リソースが存在し、端末は基地局から送信されるPMIのみを取得しており、どのアップリンク測定基準信号リソースを具体的に使用するかを認識していない。したがって、端末は完全な形成情報を取得することができず、効率的にデータを伝送することができない。
【発明の概要】
【０００６】
本明細書は、システムでデータを効率的に伝送するためのアップリンク伝送方法、装置、およびシステムを説明する。
【課題を解決するための手段】
【０００７】
一態様によれば、本明細書の一実施形態は、アップリンク伝送方法を提供する。本方法は、基地局によって、アップリンク測定基準信号ポートからアンテナポートへの形成情報を決定するステップ（ここで、アップリンク測定基準信号ポートからアンテナポートへの形成情報はアップリンク測定基準信号ポートからアンテナポートへの複数の形成情報で決定され得る）と、アップリンク測定基準信号ポートからアンテナポートへの形成情報をユーザ機器に送信するステップとを含む。ユーザ機器は、アップリンク測定基準信号ポートからアンテナポートへの、基地局によって送信される形成情報を取得し、形成情報を取得し得る。形成情報は、アップリンク伝送中に伝送信号の形成処理を行うために用いられ得る。伝送信号の形成処理により、伝送信号のカバー範囲が増大され得、データ伝送の効率が向上され得る。加えて、形成情報は、様々な形態、例えば、形成パラメータ、コードワードインデックス、またはアップリンク測定基準信号インデックスであり得る。このようにして、アップリンク伝送の解決策の多様性が増大する。
【０００８】
可能な設計では、基地局は、複数の方法でユーザ機器に、アップリンク測定基準信号ポートからアンテナポートへの形成情報を送信し得る。例えば、基地局は、アップリンクスケジューリングシグナリング、メディアアクセス制御MAC制御要素CE、上位レイヤシグナリングなどを使用して、アップリンク測定基準信号ポートからアンテナポートへの形成情報をユーザ機器に送信する。それに対応して、ユーザ機器は、複数の方法で、アップリンク測定基準信号ポートからアンテナポートへの、基地局により送信される形成情報を取得し得る。様々な方法で形成情報をユーザ機器に送信することは、基地局が複数のシナリオにおいて本発明のこの実施形態の解決策を実施することを可能にし得る。
【０００９】
可能な設計では、基地局は、データポートからアップリンク測定基準信号ポートへの形成情報をさらに決定し、次いで、データポートからアップリンク測定基準信号ポートへの形成情報をユーザ機器に送信する。それに対応して、ユーザ機器は、データポートからアップリンク測定基準信号ポートへの、基地局によって送信される形成情報を取得する。普通、データポートからアップリンク測定基準信号ポートへの形成情報は、アップリンク測定基準信号ポートからアンテナポートへの形成情報に対応する。2つの形成情報が正しく一致した場合にのみ有効なビームが形成され得るので、それによってアップリンク伝送の効率が向上する。基地局は2つの形成情報をユーザ機器に送信する。これにより、ユーザ機器はデータポートからアップリンク測定基準信号ポートへの形成情報およびアップリンク測定基準信号ポートからアンテナポートへの形成情報を所有でき、それによって、伝送信号での形成処理が向上する。
【００１０】
可能な設計では、基地局は、アップリンクスケジューリングシグナリングを使用することによって、データポートからアップリンク測定基準信号ポートへの形成情報をユーザ機器に送信することができ、または基地局は、アップリンクスケジューリングシグナリングを使用して、データポートからアップリンク測定基準信号ポートへの形成情報とアップリンク測定基準信号ポートからアンテナポートへの形成情報の両方をユーザ機器に送信することができる。それに対応して、ユーザ機器は、アップリンクスケジューリングシグナリングを使用することによって、データポートからアップリンク測定基準信号ポートへの形成情報、またはデータポートからアップリンク測定基準信号ポートへの形成情報とアップリンク測定基準信号ポートからアンテナポートへの形成情報の両方を受信することができる。
【００１１】
可能な設計では、ユーザ機器は、アップリンク測定基準信号ポートからアンテナポートへの受信した形成情報を解析し、形成情報に対応する形成パラメータを取得する。例えば、ユーザ機器は、現在のデータ伝送に使用される形成情報として、現在のデータ伝送の前のX時間単位内に基地局へのアップリンク測定基準信号の最後の送信に使用される形成情報に対応する形成パラメータを使用する。
【００１２】
可能な設計では、形成情報の特定の形態が異なるので、ユーザ機器によって、形成情報に対応する形成パラメータを取得する様々な方法がある。例えば、ユーザ機器は、形成情報が、具体的にはコードワードインデックスであるとき、当該コードワードインデックスに対応する形成パラメータを決定する。代替方法では、形成情報がアップリンク測定基準信号インデックスであるとき、ユーザ機器は、アップリンク測定基準信号インデックスの数に基づいて、アップリンク測定基準信号を送信するために使用される形成パラメータを決定し、アップリンク測定基準信号ポートからアンテナポートへの、現在のデータ伝送でユーザ機器によって使用される形成情報として、アップリンク測定基準信号を送信するために使用される形成パラメータを使用する。形成情報の異なる形態に対しては、ユーザ機器は、異なる方法で、形成情報に対応する形成パラメータを取得することができる。
【００１３】
可能な設計では、ユーザ機器は、アップリンク測定基準信号ポートからアンテナポートへの取得した形成パラメータおよびデータポートからアップリンク測定基準信号ポートへの取得した形成パラメータを使用することよって形成処理を行う。形成処理後に取得した伝送信号は強化され、データ伝送の効率が向上する。
【００１４】
別の態様によれば、本発明の一実施形態は基地局を提供する。基地局は、前述方法で基地局の振る舞いを実装する機能を有する。当該機能はハードウェアにより実現されても、対応するソフトウェアを実行するハードウェアにより実装されてもよい。ハードウェアまたはソフトウェアは、前述の機能に対応する1つ以上のモジュールを含む。
【００１５】
可能な設計では、基地局の構造はプロセッサと送信機を含む。プロセッサは、前述の方法で対応する機能を実行する際に基地局をサポートするように構成される。送信機は、基地局とユーザ機器の間の通信をサポートし、ユーザ機器に方法に関連する情報または命令を送信するように構成される。基地局はメモリをさらに含み得る。メモリは、プロセッサに結合するように構成され、基地局の必要なプログラム命令および必要なデータを格納する。
【００１６】
さらに別の態様によれば、本発明の一実施形態はユーザ機器を提供する。ユーザ機器は、前述の方法設計でのユーザ機器の振る舞いを実装する機能を有する。当該機能はハードウェアにより実現されても、対応するソフトウェアを実行するハードウェアにより実装されてもよい。ハードウェアまたはソフトウェアは、前述の機能に対応する1つ以上のモジュールを含む。モジュールはソフトウェアおよび／またはハードウェアであり得る。
【００１７】
可能な設計では、ユーザ機器の構造は受信機およびプロセッサを含む。受信機は、アップリンク測定基準信号ポートからアンテナポートへの、基地局によって送信される形成情報を受信するように構成される。プロセッサは、アップリンク測定基準信号ポートからアンテナポートへの形成情報を解析し、形成情報に対応する形成パラメータを取得するように構成される。
【００１８】
さらに別の態様によれば、本発明の一実施形態は通信システムを提供する。システムは、前述の態様による基地局およびユーザ機器を含む。
【００１９】
さらに別の態様によれば、本発明の一実施形態は、前述の基地局によって使用されるコンピュータソフトウェア命令を格納するように構成された、コンピュータ記憶媒体を提供する。コンピュータ記憶媒体は、前述の態様を実行するように設計されたプログラムを含む。
【００２０】
さらに別の態様によれば、本発明の一実施形態は、前述のユーザ機器によって使用されるコンピュータソフトウェア命令を格納するように構成された、コンピュータ記憶媒体を提供する。コンピュータ記憶媒体は、前述の態様を実行するように設計されたプログラムを含む。
【００２１】
従来技術と比較して、本発明で提供される解決策は、伝送信号のカバー範囲をさらに増大させることができ、それによってデータ送信の伝送の効率を改善する。
【００２２】
本発明の実施形態または従来技術の技術的解決策をより明確に説明するために、以下では実施形態または従来技術を説明するのに必要な添付図面を簡単に説明する。明らかに、以下の説明での添付の図面は本発明のいくつかの実施形態を示すに過ぎず、当業者は創造的な努力なしにこれらの添付の図面から本発明の他の実装形態を導出し得る。すべての実施形態または実装形態は本発明の保護範囲内に入るものとする。
【図面の簡単な説明】
【００２３】
【図１】本発明による可能な適用シナリオの概略図である。
【図２】本発明の一実施形態によるデータを伝送する端末の通信の概略図である。
【図３】本発明の一実施形態によるアップリンク伝送の概略フローチャートである。
【図４】本発明の一実施形態によるアップリンク伝送の概略フローチャートである。
【図５】本発明の一実施形態による基地局の概略構造図である。
【図６】本発明の一実施形態によるUEの概略構造図である。
【発明を実施するための形態】
【００２４】
本発明の実施形態で説明されるネットワークアーキテクチャおよびサービスシナリオは、本発明の実施形態での技術的解決策をより明確に説明することを目的とするが、本発明の実施形態で提供される技術的解決策を限定することを意図していない。当業者は、ネットワークアーキテクチャが進化し新しいサービスシナリオが出現するにつれて、本発明の実施形態で提供される技術的解決策が同様の技術的問題にさらに適用可能であることを周知することができる。
【００２５】
図1に示されるように、ユーザ機器UEはUEの近くの基地局に接続され、それによってネットワークにアクセスする。本発明で説明される技術は、ロングタームエボリューション（Long Term Evolution、LTE）システム、または種々の無線アクセス技術を使用する他の無線通信システム、例えば符号分割多重アクセス、周波数分割多重アクセス、時分割多重アクセス、直交周波数分割多重アクセス、またはシングルキャリア周波数分割多重アクセスなどのアクセス技術を使用するシステムに適用可能であり得る。さらに、当該技術は、LTEシステム、例えば、第5世代の5Gシステムから発展する後続のシステムにさらに適用可能であり得る。
【００２６】
本出願では、「ネットワーク」および「システム」という用語がしばしば交互に使用されるが、当業者はそれらの意味を理解し得る。本出願でのユーザ機器UEは、種々のハンドヘルドデバイス、車載デバイス、ウェアラブルデバイス、および無線通信機能を有するコンピューティングデバイス、または無線モデムに接続された他の処理デバイス、および種々の形態のユーザ機器（User Equipment、UE）、移動局（Mobile station、MS）、端末（terminal）、端末デバイス（Terminal Equipment）などを含み得る。説明を容易にするために、本出願では、上述のデバイスはまとめてユーザ機器またはUEと呼ばれる。本発明での基地局（base station、BS）は、無線アクセスネットワークに配置され、UEに無線通信機能を提供するように構成された装置である。基地局は、種々の形態のマクロ基地局、マイクロ基地局、中継局、アクセスポイントなどを含み得る。異なる無線アクセス技術を用いたシステムでは、基地局の機能を有するデバイスの名称が異なる場合がある。例えば、LTEネットワークでは、デバイスは進化型NodeB（evolved NodeB、eNBまたはeNodeB）と呼ばれ、第3世代の3Gネットワークでは、デバイスはNodeB（NodeB）などと呼ばれる。説明を容易にするために、本出願では、UEに無線通信機能を提供する前述のすべての装置は、基地局またはBSと呼ばれる。
【００２７】
技術的解決策をより明確に説明するために、以下では、まず、ユーザ機器がデータを基地局に伝送するときにユーザ機器によって処理を実行するプロセスについて説明する。図2に示す解決策では、ユーザ機器がデータを基地局に送信するプロセスにおいて、ユーザ機器は伝送信号を2回前処理する。すなわち、データポートからアップリンク測定基準信号ポートへの前処理およびアップリンク測定基準信号ポートからアンテナポートへの前処理である。ユーザ機器がデータ伝送のために伝送信号を前処理することは、ユーザ機器が伝送信号を形成パラメータのセットで乗算することとして理解され得る。これにより、伝送信号をある方向に強くしたり、カバー範囲を広げたりすることなどを行い得る。形成パラメータはまた、プリコーディング行列または形成行列と呼ばれることがある。2つのタイプのプリコーディング行列がある。一方のタイプのプリコーディング行列は、データポートからアップリンク測定基準信号ポートへの前処理に使用され、他方のタイプのプリコーディング行列は、アップリンク測定基準信号ポートからアンテナポートへの前処理に使用される。本発明の実施形態では、アップリンク測定基準信号ポートからアンテナポートへのプリコーディング行列は2次元を有し、2次元のサイズはそれぞれアップリンク測定基準信号ポートの数量とアンテナポートの数量である。データポートからアップリンク測定基準信号ポートまでのプリコーディング行列は2次元を有し、2次元のサイズはそれぞれデータポートの数量およびアップリンク測定基準信号ポートの数量である。
【００２８】
説明を容易にするために、本発明の実施形態では、アップリンク測定基準信号ポートからアンテナポートへの、基地局にデータを送信するためにユーザ機器によって使用されるプリコーディング行列は、アンテナプリコーディング行列または単にTPと呼ばれ、データポートからアップリンク測定基準信号ポートへの、基地局にデータを送信するためにユーザ機器によって使用されるプリコーディング行列はデータプリコーディング行列または単にDPと呼ばれる。普通、TPはDPに対応し、TPとDPはペアで表示される。ユーザ機器は、TP＊DP形成処理を通じてデータを基地局に伝送し得る。
【００２９】
通常、伝送信号のエネルギーは前処理を通して特定の方向に集中することができる。例えば、伝送信号のエネルギーPはすべての方向に送られ、特定の方向のエネルギーはP／nである（ここで、すべての方向はnの特定の方向であると仮定される）。伝送信号が前処理された後に伝送エネルギーが特定の方向に集中し得る場合、特定の方向のエネルギーはほぼPであり得る。このようにして、特定の方向のエネルギーは増加する。当然、その方向のカバー範囲は増大し、伝送信号のカバー範囲も増大する。
【００３０】
様々な形成パラメータが、様々なチャネル条件下で構成され得る。チャネル条件は、チャネルの空間的特徴、例えば、到来角（angle of arrival、AOA）および出発角（angle of departure、AOD）であり得る。代替方法として、チャネル条件は、基地局がアップリンク測定基準信号を受信したときに存在する信号対雑音比（signal‐to‐noise ratio、SNR）とし得る。例えば、チャネル条件が基地局がアップリンク測定基準信号を受信するときに存在するSNRで、ユーザがセルエッジにいるとき、基地局がアップリンク測定基準信号を受信するときに存在するSNRは普通、しきい値よりも小さい。したがって、基地局は、アップリンク測定基準信号をユーザ機器の最大ポート数量の半分として送信するように、ユーザ機器用のアンテナポートの数量を構成し得る。ユーザがセル中心にいるとき、基地局がアップリンク測定基準信号を受信したときに存在するSNRはしきい値よりも大きくなり得る。したがって、基地局は、アップリンク測定基準信号をユーザ機器の最大ポート数量として送信するように、ユーザ機器用のアンテナポートの数量を構成し得る。
【００３１】
以下では、添付の図面を参照しながら、本発明の実施形態で提供される解決策をさらに説明する。
【００３２】
以下は、ユーザ機器が基地局にデータを伝送する2つのプロセスを説明する。
【００３３】
第1のデータ伝送プロセスは、具体的には以下のステップを含む。
【００３４】
パート301では、ある期間内に、基地局がアップリンク測定基準信号のリソース構成情報のセットをユーザ機器に送信する。
【００３５】
アップリンク測定基準信号のリソース構成情報は、アップリンク測定基準信号のプロセス構成情報またはアップリンク測定基準信号の構成情報と呼ばれることもある。アップリンク測定基準信号のリソース構成情報は、アップリンク測定基準信号ポートからアンテナポートへの、データを基地局に伝送するためにユーザ機器によって使用される形成情報を含む。形成情報は、代替として前処理情報と呼ばれる場合もある。本発明の実施形態において、形成情報は形成パラメータまたはコードワードインデックスを含み得る。基地局は、アップリンク測定基準信号のリソース構成情報を周期的または非周期的にユーザ機器に送信することができる。形成パラメータは、具体的にはプリコーディング行列であり得、コードワードインデックスは具体的にはPMIであり得る。ユーザ機器は、PMIを使用することによってプリコーディング行列を決定し得る。
【００３６】
基地局は、上位レイヤシグナリング、メディアアクセス制御（Media Access Control、MAC）制御要素（control element、CE）、または物理レイヤシグナリングを使用することによって、アップリンク測定基準信号のリソース構成情報をユーザ機器に送信することができる。
【００３７】
パート302では、ユーザ機器は、基地局によって送信されたアップリンク測定基準信号のリソース構成情報を受信し、アップリンク測定基準信号のリソース構成情報を解析し、アップリンク測定基準信号ポートからのアンテナポートへの、アンテナプリコーディング行列、すなわちTPを取得する。ユーザ機器は、基地局によって送信されたアップリンク測定基準信号のリソース構成情報に基づいてアップリンク測定基準信号をさらに送信することができる。
【００３８】
基地局は、ユーザ機器によって送信されたアップリンク測定基準信号を受信することができる。基地局が端末にアップリンクデータ伝送を実行するように指示する必要があるとき、基地局は、アップリンク測定基準信号を使用することによって基地局とユーザ機器の間の現在のチャネルを推定することができる。基地局は、チャネル推定結果に基づいて、データポートからアップリンク測定基準信号ポートへの形成情報を決定することができる。ユーザ機器は、アップリンク測定基準信号を周期的に送信することができる。言い換えれば、基地局は、端末によって送信されたアップリンク測定基準信号を周期的に受信することができる。基地局は、アップリンク測定基準信号を使用してチャネル推定を一度実行することによって、データポートからアップリンク測定基準信号ポートへの形成情報を決定することができる。代替として、基地局は、アップリンク測定基準信号を使用して統合チャネル推定を少なくとも2度実行することによって、データポートからアップリンク測定基準信号ポートへの形成情報を決定することができる。
【００３９】
形成情報が具体的にはプリコーディング行列である場合、プリコーディング行列はTPである。形成情報が具体的にはPMIである場合、ユーザ機器は、PMIを使用することによってPMIに対応するプリコーディング行列を決定し、アップリンク測定基準信号を送信するためにユーザ機器によって使用されるTPとしてプリコーディング行列を使用することができる。
【００４０】
パート303では、基地局は、アップリンクスケジューリングシグナリングをユーザ機器に送信し、ここで、アップリンクスケジューリングシグナリングは、データポートからアップリンク測定基準信号ポートへの形成情報を含む。
【００４１】
基地局がデータを基地局に送信するように端末に指示する必要があるとき、または端末によって送信されたアップリンクスケジューリング要求シグナリングを受信する必要があるとき、基地局はアップリンクスケジューリングシグナリングをユーザ機器に送信する。
【００４２】
パート302と303の間には逐次的な関係はない。
【００４３】
パート304では、ユーザ機器は、アップリンクスケジューリングシグナリングを受信し、データポートからアップリンク測定基準信号ポートへの形成情報を取得し、データポートからアップリンク測定基準信号ポートへの形成情報を解析し、DPを取得する。ユーザ機器はTPおよびDPに基づき伝送信号を前処理し、それによって、データを基地局に伝送する。
【００４４】
同様に、形成情報が具体的にはプリコーディング行列である場合、プリコーディング行列はDPである。形成情報が具体的にはPMIである場合、ユーザ機器は、PMIを使用することによってPMIに対応するプリコーディング行列を決定し、現在のデータ伝送でユーザ機器によって使用されるDPとしてプリコーディング行列を使用することができる。
【００４５】
ユーザ機器は、現在のデータ伝送に使用されるTPとして、現在のデータ伝送前のX時間単位（例えば、サブフレーム）内に基地局へのアップリンク測定基準信号の、ユーザ機器によって実行される、最後の伝送に使用されたアップリンク測定基準信号リソースに対応するTPを使用することができ、ここで、Xはプロトコルに従って合意され得、例えば、0および10msであり得る。Xは、代替として、上位レイヤシグナリングを使用することによって構成され得る。
【００４６】
本発明の実施形態のアップリンク測定基準信号リソースが半静的に変化するシナリオでは、アップリンク測定基準信号のカバー範囲が最適化され、アップリンク測定基準信号のオーバーヘッドが低減される。例えば、ユーザがセル中心にいるとき、ユーザは既存のアップリンク測定基準信号の伝送方法で十分なチャネル情報を得ることができる（すなわち、アップリンク測定基準信号ポートからアンテナポートへの前処理は行われない）。ユーザがセルエッジにいるとき、ビーム形成されたアップリンク測定基準信号の伝送方式でアップリンク測定基準信号のカバー範囲は増大され得る（すなわち、アップリンク測定基準信号ポートからアンテナポートへの前処理が行われる）。具体的には、アップリンク測定基準信号の伝送エネルギーが特定の方向に集中しているか、ポート数量が比較的少ない。本発明の実施形態のアップリンク測定基準信号リソースが動的に変化するシナリオでは、複数のアップリンク測定基準信号リソースの共存がそのような柔軟な切り替えメカニズムでは必要とされない。したがって、アップリンク測定基準信号のオーバーヘッドはさらに低減され得る。
【００４７】
次に、第2のデータ伝送プロセスについて説明する。データ伝送プロセスは、端末が同じ期間内のアップリンク測定基準信号のための複数のアップリンク測定基準信号リソースを用いて構成され得るシナリオに適応し得る。データ伝送プロセスは、具体的には以下のステップを含む。
【００４８】
パート401では、基地局は、アップリンクスケジューリングシグナリングをユーザ機器に送信し、ここで、アップリンクスケジューリングシグナリングは、アップリンク測定基準信号ポートからアンテナポートへの形成情報およびデータポートからアップリンク測定基準信号ポートへの形成情報を含み得る。アップリンク測定基準信号ポートからアンテナポートへの形成情報およびデータポートからアップリンク測定基準信号ポートへの形成情報は別々に符号化されても、一緒に符号化されてもよい。
【００４９】
アップリンク測定基準信号ポートからアンテナポートへの形成情報が具体的にはプリコーディング行列である場合、プリコーディング行列はTPである。形成情報が具体的にはPMIである場合、ユーザ機器は、PMIを使用することによってPMIに対応するプリコーディング行列を決定し、現在のデータ伝送でユーザ機器によって使用されるTPとしてプリコーディング行列を使用することができる。形成情報がアップリンク測定基準信号インデックスである場合、ユーザ機器は、アップリンク測定基準信号インデックスの数に基づいて、その時点でアップリンク測定基準信号を送信するために使用されるプリコーディング行列を決定し、現在のデータ伝送でユーザ機器によって使用されるTPとしてプリコーディング行列を使用することができる。
【００５０】
同様に、データポートからアップリンク測定基準信号ポートへの形成情報が具体的にはプリコーディング行列である場合、プリコーディング行列はDPである。形成情報が具体的にはPMIである場合、ユーザ機器は、PMIを使用することによってPMIに対応するプリコーディング行列を決定し、現在のデータ伝送でユーザ機器によって使用されるDPとしてプリコーディング行列を使用することができる。形成情報がアップリンク測定基準信号インデックスである場合、ユーザ機器は、アップリンク測定基準信号インデックスの数に基づいて、その時点でアップリンク測定基準信号を送信するために使用されるプリコーディング行列を決定し、現在のデータ伝送でユーザ機器によって使用されるDPとしてプリコーディング行列を使用することができる。
【００５１】
基地局がアップリンクスケジューリングシグナリングをユーザ機器に送信する前に、基地局は1つのセットまたは少なくとも2つのセットのアップリンク測定基準信号のリソース構成情報をユーザ機器に送信することができる。
【００５２】
次いで、ユーザ機器は複数のアップリンク測定基準信号を基地局に送信することができる。異なるアップリンク測定基準信号は、異なるアップリンク測定基準信号のリソース構成情報に対応し得る。基地局が端末にアップリンクデータ伝送を指示する必要がある場合、基地局は、アップリンク測定基準信号を使用してチャネル推定を一度実行することによって、データポートからアップリンク測定基準信号ポートへの形成情報を決定することができる。代替として、基地局は、アップリンク測定基準信号のリソース構成情報の1つのセットに対応するアップリンク測定基準信号を使用して、統合チャネル推定を少なくとも2度実行することによって、データポートからアップリンク測定基準信号ポートへの形成情報を決定することができる。
【００５３】
パート402では、ユーザ機器は、アップリンクスケジューリングシグナリングを受信し、アップリンク測定基準信号からアンテナポートへの形成情報およびデータポートからアップリンク測定基準信号ポートへの形成情報を取得し、アップリンク測定基準信号からアンテナポートへの形成情報およびデータポートからアップリンク測定基準信号ポートへの形成情報を別々に解析し、TPおよびDPを取得する。ユーザ機器はTPおよびDPの合成に基づき伝送信号を前処理し、それによって、データを基地局に伝送する。
【００５４】
前述は、ネットワーク要素の相互作用の観点から本発明の実施形態で提供される解決策を主に説明している。前述の機能を実装するために、UEおよび基地局などのネットワーク要素は、種々の機能を実行するための対応するハードウェア構造および／またはソフトウェアモジュールを含むことを理解していただきたい。当業者は、本明細書で開示された実施形態に説明されたユニットおよびアルゴリズムステップの例と組み合わせて、本発明はハードウェアまたはハードウェアとコンピュータのソフトウェア組み合わせで実装され得ることを容易に認識するはずである。機能がハードウェアによって、またはコンピュータソフトウェアによって駆動されるハードウェアによって実行されるかどうかは、特定の用途および技術的解決策の設計制約により異なる。当業者であれば、特定の用途ごとに説明した機能を実装するために異なる方法を使用することができるが、その実装が本発明の範囲を逸脱すると見なすべきではない。
【００５５】
図5は、前述の実施形態における基地局の可能な概略構造図である。
【００５６】
基地局は、送信機／受信機501、コントローラ／プロセッサ502、メモリ503、および通信ユニット504を含む。送信機／受信機501は、前述の実施形態ではUEとの情報の送受信で基地局をサポートし、別のUEとの無線通信の実行でUEをサポートするように構成される。コントローラ／プロセッサ502は、UEと通信するための各種機能を実行する。アップリンクでは、UEからのアップリンク信号はアンテナを使用することによって受信され、受信機501によって復調され、UEによって送信されるサービスデータおよびシグナリング情報を回復するためにコントローラ／プロセッサ502によってさらに処理される。ダウンリンクでは、サービスデータおよびシグナリングメッセージは、コントローラ／プロセッサ502によって処理され、ダウンリンク信号を生成するために送信機501によって復調され、その後、ダウンリンク信号はアンテナを使用することによってUEに送信される。コントローラ／プロセッサ502は、図2から図4の基地局に関する処理プロセスおよび／または本出願で説明されている技術に用いられる別のプロセスをさらに実行する。例えば、コントローラ／プロセッサ502は、基地局を制御して形成情報をUEに送信する、および／または本発明で説明されている技術の別のプロセスを実行するように構成される。一例では、コントローラ／プロセッサ502は、図3のプロセス301および303ならびに図4のプロセス401を実行する際に基地局をサポートするように構成される。メモリ503は、基地局のプログラムコードおよびデータを格納するように構成される。通信ユニット504は、別のネットワークエンティティと通信する際に基地局をサポートするように構成される。
【００５７】
図5は単に基地局の単純化された設計を示していることを理解していただきたい。実際の用途では、基地局は任意の数量の送信機、受信機、プロセッサ、コントローラ、メモリ、通信ユニットなどを含むことができ、本発明を実施することができるすべての基地局は本発明の保護範囲内にあるものとする。
【００５８】
図6は、前述の実施形態におけるUEの可能な設計構造の簡略図である。UEは、送信機601、受信機602、コントローラ／プロセッサ603、メモリ604、およびモデムプロセッサ605を含む。
【００５９】
送信機601は、出力サンプリングを調整（例えば、アナログデジタル変換の実行、フィルタリング、増幅、およびアップコンバート）し、アップリンク信号を生成する。アップリンク信号は、前述の実施形態では、アンテナを用いて基地局に伝送される。前述の実施形態において、ダウンリンクでは、アンテナは基地局によって伝送されたダウンリンク信号を受信する。受信機602は、アンテナから受信した信号を調整（例えば、フィルタリング、増幅、ダウンコンバート、およびデジタル化）し、入力サンプリングを提供する。モデムプロセッサ605では、エンコーダ606がアップリンクで送信されるサービスデータおよびシグナリングメッセージを受信し、サービスデータおよびシグナリングメッセージを処理（例えば、フォーマット、符号化、およびインターリーブ）する。モジュレータ607は、符号化されたサービスデータおよび符号化されたシグナリングメッセージをさらに処理（例えば、シンボルマッピングの実行および変調）し、出力サンプリングを提供する。デモジュレータ609は入力サンプリングを処理（例えば、復調）して、シンボル推定を提供する。デコーダ608は、シンボル推定を処理（例えば、デインターリーブおよび復号化）し、そしてUEに送信される復号化されたデータおよび復号化されたシグナリングメッセージを提供する。エンコーダ606、モジュレータ607、デモジュレータ609、およびデコーダ608は、複合モデムプロセッサ605によって実装され得る。これらのユニットは、無線アクセスネットワークで用いられる無線アクセス技術（例えば、LTE、5Gおよび別の進化型システムのアクセス技術）に基づいて処理を行う。
【００６０】
コントローラ／プロセッサ603は、UEの動作を制御および管理し、前述の実施形態ではUEによって実行される処理を実行するように構成される。例えば、コントローラ／プロセッサ603は、UEを制御し、受信した形成情報に基づき、データ伝送および／または本発明で説明されている技術の別のプロセスを実行するように構成される。一例では、コントローラ／プロセッサ603は、図3のプロセス302および304ならびに図4のプロセス402を実行する際にUEをサポートするように構成される。メモリ604は、UEで使用されるプログラムコードおよびデータを格納するように構成されている。
【００６１】
本発明において基地局またはUEを実装するように構成されたコントローラ／プロセッサは、中央処理装置（CPU）、汎用プロセッサ、デジタル信号プロセッサ（DSP）、特定用途向け集積回路（ASIC）、フィールドプログラマブルゲートアレイ（FPGA）または別のプログラマブル論理デバイス、トランジスタ論理デバイス、ハードウェアコンポーネント、あるいはそれらの任意の組み合わせにし得る。コントローラ／プロセッサは、本発明で開示された内容を参照して説明された各種例示的な論理ブロック、モジュール、および回路を実装または実行することができる。代替として、プロセッサは、計算機能を実行するプロセッサの組み合わせ、例えば、1つ以上のマイクロプロセッサの組み合わせ、またはDSPとマイクロプロセッサとの組み合わせであり得る。
【００６２】
本発明で開示された内容と組み合わせて説明された方法またはアルゴリズムステップは、ハードウェアによって実装されてもよく、またはソフトウェア命令を実行することによってプロセッサによって実装されてもよい。ソフトウェア命令は対応するソフトウェアモジュールを含み得る。ソフトウェアモジュールは、RAMメモリ、フラッシュメモリ、ROMメモリ、EPROMメモリ、EEPROMメモリ、レジスタ、ハードディスク、リムーバブルハードディスク、CD‐ROM、または当技術分野において周知の任意の他の形態の記憶媒体に格納することができる。例えば、記憶媒体はプロセッサに結合され、それによりプロセッサは記憶媒体から情報を読み取ることができたり、または記憶媒体に情報を書き込むことができる。もちろん、記憶媒体はプロセッサの構成要素であり得る。プロセッサおよび記憶媒体はASIC内に配置されてもよい。さらに、ASICはユーザ機器に配置されてもよい。もちろん、プロセッサおよび記憶媒体は、個別の構成要素としてユーザ機器に存在し得る。
【００６３】
当業者は、前述の1つ以上の例では、本発明で説明されている機能がハードウェア、ソフトウェア、ファームウェア、またはそれらの任意の組み合わせによって実装され得ることを認識していただきたい。本発明がソフトウェアによって実施される場合、前述の機能はコンピュータ可読媒体に格納されてもよく、またはコンピュータ可読媒体の1つ以上の命令またはコードとして伝送されてもよい。コンピュータ可読媒体は、コンピュータ記憶媒体および通信媒体を含み、ここで、通信媒体は、コンピュータプログラムをある場所から別の場所に伝送することを可能にする任意の媒体を含む。記憶媒体は、汎用または専用コンピュータにアクセス可能な任意の利用可能な媒体とし得る。
【００６４】
本発明の目的、技術的解決策、および有益な効果は、前述の特定の実装形態においてさらに詳細に説明される。前述の説明は、本発明の単なる特定の実装形態であり、本発明の保護範囲を限定することを意図するものではないことを理解していただきたい。本発明の技術的解決策に基づいてなされたいかなる修正、同等の置換え、または改良も本発明の保護範囲内にあるものとする。
【符号の説明】
【００６５】
301  パート、プロセス
302  パート、プロセス
303  パート、プロセス
304  パート、プロセス
401  パート、プロセス
402  パート、プロセス
501  送信機／受信機
502  コントローラ／プロセッサ
503  メモリ
504  通信ユニット
601  送信機
602  受信機
603  コントローラ／プロセッサ
604  メモリ
605  複合モデムプロセッサ
606  エンコーダ
607  モジュレータ
608  デコーダ
609  デモジュレータ
【図１】
2020503793.tif 000003
【図２】
2020503793.tif 000004
【図３】
2020503793.tif 000005
【図４】
2020503793.tif 000006
【図５】
2020503793.tif 000007
【図６】
2020503793.tif 000008
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
アップリンク測定基準信号インデックスを決定するステップと、
前記アップリンク測定基準信号インデックスをユーザ機器に送信するステップであって、前記アップリンク測定基準信号インデックスが、アップリンク測定基準信号ポートからアンテナポートへの形成パラメータを決定するために使用される、ステップと
を含む、アップリンク伝送方法。
【請求項２】
前記アップリンク測定基準信号インデックスをユーザ機器に送信する前記ステップが、以下のケース、
アップリンクスケジューリングシグナリングを前記ユーザ機器に送信するステップであって、前記アップリンク測定基準信号インデックスが、前記アップリンクスケジューリングシグナリングに含まれる、ステップ、または、
上位レイヤシグナリングを前記ユーザ機器に送信するステップであって、前記アップリンク測定基準信号インデックスが、前記アップリンクスケジューリングシグナリングに含まれる、ステップ
のうちの1つを含む、請求項1に記載の方法。
【請求項３】
データポートから前記アップリンク測定基準信号ポートへの形成情報を決定するステップと、
前記データポートから前記アップリンク測定基準信号ポートへの前記形成情報を前記ユーザ機器に送信するステップと
をさらに含む、請求項1または2に記載の方法。
【請求項４】
前記データポートから前記アップリンク測定基準信号ポートへの前記形成情報を前記ユーザ機器に送信する前記ステップが、
アップリンクスケジューリングシグナリングを前記ユーザ機器に送信するステップであって、前記データポートから前記アップリンク測定基準信号ポートへの前記形成情報と前記アップリンク測定基準信号インデックスの両方が前記アップリンクスケジューリングシグナリングに含まれる、ステップ
を含む、請求項3に記載の方法。
【請求項５】
前記ユーザ機器からデータを受信するステップであって、前記データが、前記アップリンク測定基準信号ポートから前記アンテナポートへの前記形成パラメータおよび前記データポートから前記アップリンク測定基準信号ポートへの前記形成情報に基づいて処理される、ステップ
をさらに含む、請求項1から4のいずれか一項に記載の方法。
【請求項６】
基地局からアップリンク測定基準信号のリソースインデックスを受信するステップと、
前記アップリンク測定基準信号のリソースインデックスを解析し、前記アップリンク測定基準信号のリソースインデックスに対応する、アップリンク測定基準信号ポートからアンテナポートへの形成パラメータを取得するステップと
を含む、アップリンク伝送方法。
【請求項７】
アップリンク測定基準信号のリソースインデックスを受信する前記ステップが、
アップリンクスケジューリングシグナリングを受信するステップであって、前記アップリンク測定基準信号のリソースインデックスが前記アップリンクスケジューリングシグナリングに含まれる、ステップ、または、
上位レイヤシグナリングを受信するステップであって、前記アップリンク測定基準信号のリソースインデックスが前記上位レイヤシグナリングに含まれる、ステップ
を含む、請求項6に記載の方法。
【請求項８】
データポートから前記アップリンク測定基準信号ポートへの、前記基地局によって送信される形成情報を受信するステップ
をさらに含む、請求項6または7に記載の方法。
【請求項９】
データポートから前記アップリンク測定基準信号ポートへの、前記基地局によって送信される形成情報を受信する前記ステップが、
アップリンクスケジューリングシグナリングを受信するステップであって、前記アップリンク測定基準信号のリソースインデックスと前記アップリンク測定基準信号ポートから前記アンテナポートへの前記形成情報の両方が前記アップリンクスケジューリングシグナリングに含まれる、ステップ
を含む、請求項7または8に記載の方法。
【請求項１０】
前記形成パラメータを取得する前記ステップが、
現在のデータ伝送に使用される形成パラメータとして、前記現在のデータ伝送の前に前記基地局へのアップリンク測定基準信号の最後の伝送に使用されるアップリンク測定基準信号のリソースインデックスに対応する形成パラメータを使用するステップ
を含む、請求項6に記載の方法。
【請求項１１】
前記基地局にデータを送信するステップであって、前記データが、前記アップリンク測定基準信号ポートから前記アンテナポートへの前記形成パラメータおよび前記データポートから前記アップリンク測定基準信号ポートへの前記形成情報に基づいて処理される、ステップ
をさらに含む、請求項6から10のいずれか一項に記載の方法。
【請求項１２】
前記形成情報が、具体的には、形成パラメータ、コードワードインデックス、またはアップリンク測定基準信号のリソースインデックスである、請求項8から11のいずれか一項に記載の方法。
【請求項１３】
アップリンク測定基準信号インデックスを決定するように構成された、少なくとも1つのプロセッサと、
前記アップリンク測定基準信号インデックスをユーザ機器に送信するように構成された送信機であって、前記アップリンク測定基準信号インデックスがアップリンク測定基準信号ポートからアンテナポートへの形成パラメータを決定するために使用される、送信機と
を備える基地局。
【請求項１４】
前記アップリンク測定基準信号インデックスをユーザ機器に送信する前記ステップが、以下のケース、
アップリンクスケジューリングシグナリング、メディアアクセス制御（MAC）制御要素（CE）、または上位レイヤシグナリングを使用して、前記アップリンク測定基準信号インデックスを前記ユーザ機器に送信するステップ
のうちの1つを含む、請求項13に記載の基地局。
【請求項１５】
前記少なくとも1つのプロセッサがデータポートから前記アップリンク測定基準信号ポートへの形成情報を決定するようにさらに構成され、
前記送信機が前記データポートから前記アップリンク測定基準信号ポートへの前記形成情報を前記ユーザ機器に送信するようにさらに構成された、
請求項13に記載の基地局。
【請求項１６】
前記データポートから前記アップリンク測定基準信号ポートへの前記形成情報を前記ユーザ機器に送信する前記ステップが、具体的には、
前記データポートから前記アップリンク測定基準信号ポートへの前記形成情報と前記アップリンク測定基準信号ポートから前記アンテナポートへの前記形成情報の両方を、アップリンクスケジューリングシグナリングを使用することによって前記ユーザ機器に送信するステップ
である、請求項15に記載の基地局。
【請求項１７】
前記基地局が、
前記ユーザ機器からデータを受信するように構成された受信機であって、前記データが、前記アップリンク測定基準信号ポートから前記アンテナポートへの前記形成パラメータおよび前記データポートから前記アップリンク測定基準信号ポートへの前記形成情報に基づいて処理される、受信機
をさらに備える、請求項13から16のいずれか一項に記載の基地局。
【請求項１８】
基地局からアップリンク測定基準信号インデックスを受信するように構成された、受信機と、
前記アップリンク測定基準信号のリソースインデックスを解析し、前記アップリンク測定基準信号のリソースインデックスに対応する、アップリンク測定基準信号ポートからアンテナポートへの形成パラメータを取得するように構成された、少なくとも1つのプロセッサと
を備える、ユーザ機器（UE）。
【請求項１９】
アップリンク測定基準信号インデックスを基地局から受信することが、以下のケース、
アップリンクスケジューリングシグナリング、メディアアクセス制御（MAC）制御要素（CE）、または上位レイヤシグナリングを使用して、前記アップリンク測定基準信号インデックスを前記基地局から受信すること
のうちの1つを含む、請求項18に記載のUE。
【請求項２０】
前記受信機が、データポートから前記アップリンク測定基準信号ポートへの、前記基地局によって送信される形成情報を受信するようにさらに構成された、請求項18または19に記載のUE。
【請求項２１】
前記アップリンク測定基準信号インデックスに対応する形成パラメータを取得することが、具体的には、
現在のデータ伝送に使用される形成パラメータとして、前記現在のデータ伝送の前に前記基地局へのアップリンク測定基準信号の最後の伝送に使用されるアップリンク測定基準信号インデックスに対応する形成パラメータを使用すること、
である、請求項18に記載のUE。
【請求項２２】
前記UEが、
データを前記基地局に送信するように構成された送信機であって、前記データが、前記アップリンク測定基準信号ポートから前記アンテナポートへの前記形成パラメータおよび前記データポートから前記アップリンク測定基準信号ポートへの前記形成情報に基づいて処理される、送信機
をさらに備える、請求項18から21のいずれか一項に記載のUE。
【請求項２３】
プログラムがコンピュータによって実行されるとき、コンピュータに、請求項1から12のいずれか一項に記載の方法を行わせるプログラム。
【手続補正２】
【補正対象書類名】明細書
【補正対象項目名】００２６
【補正方法】変更
【補正の内容】
【００２６】
本出願では、「ネットワーク」および「システム」という用語がしばしば交互に使用されるが、当業者はそれらの意味を理解し得る。本出願でのユーザ機器UEは、種々のハンドヘルドデバイス、車載デバイス、ウェアラブルデバイス、および無線通信機能を有するコンピューティングデバイス、または無線モデムに接続された他の処理デバイス、および種々の形態のユーザ機器（User Equipment、UE）、移動局（Mobile station、MS）、端末（terminal）、端末デバイス（terminal device）などを含み得る。説明を容易にするために、本出願では、上述のデバイスはまとめてユーザ機器またはUEと呼ばれる。本発明での基地局（base station、BS）は、無線アクセスネットワークに配置され、UEに無線通信機能を提供するように構成された装置である。基地局は、種々の形態のマクロ基地局、マイクロ基地局、中継局、アクセスポイントなどを含み得る。異なる無線アクセス技術を用いたシステムでは、基地局の機能を有するデバイスの名称が異なる場合がある。例えば、LTEネットワークでは、デバイスは進化型NodeB（evolved NodeB、eNBまたはeNodeB）と呼ばれ、第3世代の3Gネットワークでは、デバイスはNodeB（NodeB）などと呼ばれる。説明を容易にするために、本出願では、UEに無線通信機能を提供する前述のすべての装置は、基地局またはBSと呼ばれる。
【国際調査報告】
2020503793.tif 000009
2020503793.tif 000010
2020503793.tif 000011
2020503793.tif 000012